(57)【要約】【課題】  カラオケ楽曲の演奏に際して、各歌唱区間の演奏開始前に、携帯情報端末２０の音声出力機能を用いて、歌唱者に対して歌詞を事前報知する歌詞事前報知機能を備えた場合に、歌詞事前報知機能の利用の有無に応じて歌詞表示を制御する。【解決手段】  相互にデータ通信可能なカラオケ演奏装置３０と携帯情報端末２０とを備え、カラオケ楽曲の演奏に際して、各歌唱区間の演奏開始前に、前記携帯情報端末２０の音声出力機能を用いて、歌唱者に対して歌詞を事前報知する歌詞事前報知機能を有する。歌詞事前報知利用状況検出手段２１により、歌唱者が歌詞事前報知機能を利用しているか否かを検出し、歌詞文字表示制御手段により、歌詞事前報知機能の利用状況検出結果が、歌詞事前報知機能を利用中であることを示す場合に、歌詞文字の表示を行わないように歌詞文字表示手段４８を制御する。【選択図】図１
2015011244.tif 000002
【特許請求の範囲】
【請求項１】
相互にデータ通信可能なカラオケ演奏装置と携帯情報端末とを備え、カラオケ楽曲の演奏に際して、各歌唱区間の演奏開始前に、前記携帯情報端末の音声出力機能を用いて、歌唱者に対して歌詞を事前報知する歌詞事前報知機能を有するカラオケシステムにおいて、
前記携帯情報端末は、
歌唱者が前記歌詞事前報知機能を利用しているか否かを検出する歌詞事前報知利用状況検出手段と、
前記歌詞事前報知利用状況検出手段における検出結果を、前記カラオケ演奏装置に送信する検出結果送信手段と、を備え、
前記カラオケ演奏装置は、
前記検出結果送信手段により送信される検出結果を受信する検出結果受信手段と、
カラオケ楽曲の演奏進行に合わせて歌詞文字の表示を行う歌詞文字表示手段と、
前記歌詞文字表示手段における歌詞文字の表示制御を行う歌詞文字表示制御手段と、を備え、
前記歌詞文字表示制御手段は、前記検出結果受信手段により受信した検出結果が、前記歌詞事前報知機能を利用中であることを示す場合に、前記歌詞文字の表示を行わないように前記歌詞文字表示手段を制御することを特徴とする歌詞表示制御システム。
【請求項２】
前記歌詞事前報知利用状況検出手段は、前記携帯情報端末が具備する所定の操作子の操作に応じて、前記歌詞事前報知機能を利用しているか否かを検出することを特徴とする請求項１に記載の歌詞表示制御システム。
【請求項３】
前記携帯情報端末は、当該携帯情報端末の姿勢を検出する姿勢検出手段をさらに備え、
前記歌詞事前報知利用状況検出手段は、前記携帯情報端末の姿勢に応じて、前記歌詞事前報知機能を利用しているか否かを検出することを特徴とする請求項１に記載の歌詞表示制御システム。
【請求項４】
前記携帯情報端末は、前記歌詞事前報知機能による音声出力を行わないように制御する音声出力制御手段をさらに備え、
前記音声出力制御手段は、前記歌詞事前報知利用状況検出手段の検出結果が、前記歌詞事前報知機能を利用中でないことを示す場合に、前記携帯情報端末の音声出力機能を用いた歌詞事前報知を行わないように制御することを特徴とする請求項１〜３のいずれか１項に記載の歌詞表示制御システム。
【発明の詳細な説明】
【技術分野】
【０００１】
本発明は、歌詞表示制御システムに関するものであり、詳しくは、カラオケ楽曲の演奏に際して、各歌唱区間の演奏開始前に、歌唱者が所有する携帯情報端末の音声出力機能を用いて、歌唱者に対して歌詞を事前報知する歌詞事前報知機能を有するカラオケシステムにおいて、歌詞表示を制御するためのシステムに関するものである。
【背景技術】
【０００２】
現在普及しているカラオケシステムでは、カラオケ楽曲を演奏する際に、当該カラオケ楽曲の楽曲データに含まれる歌詞描出データを用いて、表示装置の表示画面に歌詞表示を行っている。この歌詞表示は、カラオケ楽曲の進行に合わせて色変わり表示されるのが一般的であり、歌唱者に対して歌唱補助を行うことができる。
【０００３】
上述した歌詞表示を行うカラオケシステムでは、モニタ画面を見なければ歌詞が分からないため、種々の理由により歌唱者がモニタ画面を見られない場合に対応させて、歌詞を音声報知するための技術が開示されている（特許文献１参照）。特許文献１に記載された技術は、カラオケ装置等の楽音発生装置において、楽曲、例えばリクエスト曲の歌詞を、音声により歌唱者に報知できるようにしたものであり、音声信号を符号化した音声データを記憶している音声データ用ＲＯＭから歌詞データに対応する音声データを読み出し、この音声データを復号化して音声信号に変換して、音声信号をイヤホンなどにより音声出力するようになっている。
【先行技術文献】
【特許文献】
【０００４】
【特許文献１】特開平９−１９８０６２号公報
【発明の概要】
【発明が解決しようとする課題】
【０００５】
上述したように、歌唱者に対する歌唱補助機能として、カラオケ楽曲の演奏に同期した歌詞文字表示や、歌詞音声の出力機能を有するカラオケシステムが存在する。しかし、特許文献１に記載されたように、表示装置を備えていない等の特殊事情がない限り、従来の歌唱補助機能では、表示装置の表示画面に歌詞文字が表示されてしまう。
【０００６】
近年、カラオケ楽曲の演奏に伴い表示される背景映像は、高精細な映像が用いられることが多く、また、アーティストの本人映像やライブ映像、振り付け映像、利用者が自ら持ち込んだ映像等、種々の映像を表示する機能を有している。このような映像は、歌唱する利用者だけではなく、一緒にカラオケを楽しんでいる利用者にとっても鑑賞価値があり、歌詞文字表示が邪魔になる場合もある。
【０００７】
また、歌唱者にとってみれば、これから歌唱する歌詞を音声により事前報知して貰うことができれば、表示装置において歌詞文字が表示される必要はなく、このような場合には、歌詞文字表示がかえって邪魔になることがある。
【０００８】
本発明は、上述した事情に鑑み提案されたもので、カラオケ楽曲の演奏に際して、各歌唱区間の演奏開始前に、携帯情報端末の音声出力機能を用いて、歌唱者に対して歌詞を事前報知する歌詞事前報知機能を備えた場合に、歌詞事前報知機能の利用の有無に応じて歌詞表示を制御することが可能な歌詞表示制御システムを提供することを目的とする。
【課題を解決するための手段】
【０００９】
本発明の歌詞表示制御システムは、上述した事情に鑑み提案されたもので、以下の特徴点を有している。すなわち、本発明の歌詞表示制御システムは、相互にデータ通信可能なカラオケ演奏装置と携帯情報端末とを備え、カラオケ楽曲の演奏に際して、各歌唱区間の演奏開始前に、前記携帯情報端末の音声出力機能を用いて、歌唱者に対して歌詞を事前報知する歌詞事前報知機能を有するカラオケシステムにおいて、携帯情報端末及びカラオケ演奏装置は、以下の手段を備えたことを特徴とするものである。
【００１０】
携帯情報端末は、歌唱者が歌詞事前報知機能を利用しているか否かを検出する歌詞事前報知利用状況検出手段と、歌詞事前報知利用状況検出手段における検出結果を、前記カラオケ演奏装置に送信する検出結果送信手段とを備えている。
【００１１】
カラオケ演奏装置は、検出結果送信手段により送信される検出結果を受信する検出結果受信手段と、カラオケ楽曲の演奏進行に合わせて歌詞文字の表示を行う歌詞文字表示手段と、歌詞文字表示手段における歌詞文字の表示制御を行う歌詞文字表示制御手段とを備えている。
【００１２】
そして、歌詞文字表示制御手段は、検出結果受信手段により受信した検出結果が、歌詞事前報知機能を利用中であることを示す場合に、歌詞文字の表示を行わないように歌詞文字表示手段を制御する。
【００１３】
また、本発明の歌詞表示制御システムは、上述した構成において、歌詞事前報知利用状況検出手段は、携帯情報端末が具備する所定の操作子の操作に応じて、歌詞事前報知機能を利用しているか否かを検出することが可能である。
【００１４】
また、本発明の歌詞表示制御システムは、上述した構成において、携帯情報端末は、当該携帯情報端末の姿勢を検出する姿勢検出手段をさらに備え、歌詞事前報知利用状況検出手段は、携帯情報端末の姿勢に応じて、歌詞事前報知機能を利用しているか否かを検出することが可能である。
【００１５】
また、本発明の歌詞表示制御システムは、上述した構成において、携帯情報端末は、歌詞事前報知機能による音声出力を行わないように制御する音声出力制御手段をさらに備え、音声出力制御手段は、歌詞事前報知利用状況検出手段の検出結果が、歌詞事前報知機能を利用中でないことを示す場合に、携帯情報端末の音声出力機能を用いた歌詞事前報知を行わないように制御することが可能である。
【００１６】
このような構成からなる歌詞表示制御システムでは、カラオケ演奏装置と、利用者が所持する携帯情報端末とをペアリングすることにより、相互にデータの送受信を可能とする。また、利用者が選曲予約したカラオケ楽曲を演奏する際、各歌唱区間が演奏開始される前に、当該選曲予約を行った利用者の携帯情報端末の音声出力機能を用いて、当該利用者に対して歌詞を事前報知する歌詞事前報知機能を有している。
【００１７】
携帯情報端末は、歌詞事前報知利用状況検出手段と、検出結果送信手段とを備えている。そして、歌詞事前報知利用状況検出手段の機能により、当該携帯情報端末において歌詞事前報知機能を利用しているか否かを検出する。検出結果は、検出結果送信手段の機能によりカラオケ演奏装置に送信される。
【００１８】
カラオケ演奏装置は、検出結果受信手段と、歌詞文字表示手段と、歌詞文字表示制御手段とを備えている。そして、検出結果受信手段の機能により、携帯情報端末から送信されてくる検出結果を受信する。また、歌詞文字表示手段の機能により、カラオケ楽曲の演奏進行に合わせて歌詞文字（歌詞テロップ）の表示を行う。また、歌詞文字表示制御手段の機能により、歌詞文字（歌詞テロップ）の表示制御を行うが、携帯情報端末から受信した検出結果が、歌詞事前報知機能を利用中であることを示す場合には、歌詞文字の表示を行わないような制御を行う。
【００１９】
歌詞事前報知利用状況検出手段では、携帯情報端末が具備する所定の操作子の操作に応じて、歌詞事前報知機能を利用しているか否かを検出してもよいし、携帯情報端末の姿勢を検出する姿勢検出手段により検出した携帯情報端末の姿勢に応じて歌詞事前報知機能を利用しているか否かを検出してもよい。
【００２０】
さらに、携帯情報端末の機能手段として、歌詞事前報知機能を利用しないように制御する音声出力制御手段を備えることにより、歌詞事前報知機能を利用中の場合であっても、携帯情報端末の音声出力機能を用いた歌詞事前報知を行わないように制御する。
【発明の効果】
【００２１】
本発明の歌詞表示制御システムによれば、カラオケ楽曲の演奏に際して、各歌唱区間の演奏開始前に、携帯情報端末の音声出力機能を用いて、歌唱者に対して歌詞を事前報知する歌詞事前報知機能を備えている場合に、歌詞事前報知機能の利用の有無に応じて歌詞表示を制御することが可能となる。
【００２２】
したがって、歌唱者が歌詞事前報知機能を利用している場合には、歌唱者にとって歌詞表示は必要ではなく、歌詞表示を行わないような制御が行われるので、歌唱者及び一緒にカラオケを楽しんでいる利用者は、カラオケ楽曲の演奏に伴い表示される背景映像を十分に楽しむことができる。特に、アーティストの本人映像やライブ映像、振り付け映像等のように鑑賞価値が高い背景映像の場合には、歌詞文字表示が邪魔になることがないので、より一層、背景映像の鑑賞価値を高めることができる。
【００２３】
また、実際に歌唱者が歌詞事前報知の音声出力を聴取していない場合には、音声出力のみを停止させることができるので、携帯情報端末の消費電力をセーブすることができる。
【図面の簡単な説明】
【００２４】
【図１】本発明の実施形態に係る歌詞表示制御システムを適用したカラオケシステムの構成を示すブロック図。
【図２】携帯情報端末の利用状況と歌詞事前報知機能との関係の実施例１を示す説明図。
【図３】携帯情報端末の利用状況と歌詞事前報知機能との関係の実施例２を示す説明図。
【図４】本発明の実施形態に係る歌詞表示制御システムにおける歌詞表示制御の説明図。
【発明を実施するための形態】
【００２５】
図面を参照して、本発明の歌詞表示制御システムの実施形態について説明する。図１〜図４は本発明の実施形態に係る歌詞表示制御システムを示すもので、図１は歌詞表示制御システムを適用したカラオケシステムの構成を示すブロック図、図２及び図３は携帯情報端末の利用状況と歌詞事前報知機能との関係を示す説明図、図４は歌詞表示制御の説明図である。
【００２６】
＜歌詞表示制御システムの概要＞
本発明の実施形態に係る歌詞表示制御システム１０は、図１に示すように、相互にデータ通信可能なカラオケ演奏装置３０と携帯情報端末２０とを備え、カラオケ楽曲の演奏に際して、各歌唱区間の演奏開始前に、携帯情報端末２０の音声出力機能を用いて、歌唱者に対して歌詞を事前報知する歌詞事前報知機能（図面では「歌フリ」と表示する）を有するカラオケシステムに適用する技術である。
【００２７】
この歌詞表示制御システム１０は、図１に示すように、携帯情報端末２０の機能手段として、歌詞事前報知利用状況検出手段２１と、検出結果送信手段２２とを備えている。さらに、携帯情報端末２０の機能手段として、姿勢検出手段２３と、音声出力制御手段２４とを備えることが可能である。また、歌詞表示制御システム１０は、カラオケ演奏装置３０の機能手段として、検出結果受信手段４７と、歌詞文字表示手段４８と、歌詞文字表示制御手段４９とを備えている。
【００２８】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２９】
＜カラオケ演奏装置＞
本発明の実施形態に係る歌詞表示制御システム１０を適用するカラオケ演奏装置３０は、図１に示すように、カラオケ本体３１、スピーカ３２、マイクロホン３３、表示装置３４、ミキシングアンプ３５、カラオケリモコン装置３６を備えている。なお、図示しないが、カラオケ演奏装置３０は、ルータ６０及びデータ通信回線を介して、管理サーバとネットワーク接続されていてもよい。
【００３０】
＜カラオケリモコン装置＞
カラオケリモコン装置３６は、ユーザインタフェース機能を備えており、ルータ６０を介して、カラオケ本体３１のネットワーク送受信手段４１との間でデータの送受信を行うようになっている。このカラオケリモコン装置３６は、楽曲検索手段３６ａとして機能するプログラム、楽曲索引データベース３６ｂ、種々のデータを記憶するためのデータ記憶部３６ｃ、データの入出力を行うための入出力表示部３６ｄ等を備えている。このカラオケリモコン装置３６に付帯するスイッチ類や、入出力表示部３６ｄに表示される各種のアイコン等を操作することにより、選曲操作等が行われる。
【００３１】
なお、本発明では、カラオケ演奏装置３０と、利用者が所持する携帯情報端末２０とをペアリングすることにより、相互にデータの送受信を可能としている。したがって、携帯情報端末２０に選曲予約のためのアプリケーションソフトをインストールして、当該携帯情報端末２０に選曲予約機能を持たせることもできる。
【００３２】
＜楽曲検索手段／楽曲索引データベース＞
楽曲検索手段３６ａは、利用者の指示に基づき、楽曲索引データベース３６ｂを参照して楽曲を検索するためのプログラムからなる。楽曲索引データベース３６ｂは、カラオケ演奏装置３０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００３３】
＜マイクロホン＞
マイクロホン３３は、歌唱音声の入力を行うための装置である。マイクロホン３３から入力された歌唱音声信号は、ミキシングアンプ３５により、音楽再生制御手段５０から送出される演奏音声信号とミキシングされると共に増幅され、スピーカ３２へ出力される。また、図示しないが、マイクロホン３３からの音声入力信号をＡ／Ｄコンバータによりデジタル変換し、採点処理手段における歌唱採点等に使用してもよい。
【００３４】
＜表示装置＞
表示装置３４は、カラオケ楽曲に関連した背景映像や歌詞テロップ等を表示するための装置で、例えば、液晶ディスプレイ等により構成される。
【００３５】
＜携帯情報端末＞
携帯情報端末２０は、利用者が所持するスマートフォン等からなり、カラオケ演奏装置３０とペアリングすることにより、相互にデータの送受信をすることが可能となる。この携帯情報端末２０は、歌詞事前報知利用状況検出手段２１、検出結果送信手段２２を備えている。また、携帯情報端末２０は、姿勢検出手段２３、音声出力制御手段２４をさらに備えていてもよい。なお、これらの各手段は、携帯情報端末２０に対して歌詞事前報知機能を実現するためのアプリケーションソフトをインストールすることにより、その機能が実現される。
【００３６】
＜姿勢検出手段＞
姿勢検出手段２３は、携帯情報端末２０の姿勢を検出するための機器及びプログラムからなり、例えば、携帯情報端末２０を縦方向に所持しているか、あるいは横方向に所持しているか等を検出することができる。具体的には、３次元の角加速度を感知するジャイロセンサや、基準軸からの回転角度を検出するための回転ベクトルセンサ等により携帯情報端末２０の姿勢を検出することができる。
【００３７】
＜歌詞事前報知利用状況検出手段＞
歌詞事前報知利用状況検出手段２１は、歌唱者が歌詞事前報知機能を利用しているか否かを検出するためのプログラムからなる。例えば、歌詞事前報知機能を実現するためのアプリケーションソフトを立ち上げて、所定の操作を行うことにより、歌詞事前報知を行うことができるようになる。そして、歌詞事前報知利用状況検出手段２１は、歌詞事前報知機能が動作している場合に、歌唱者が歌詞の音声出力を実際に聴取しているか否か、すなわち、歌唱者が歌詞事前報知機能を利用しているか否かを検出する。
【００３８】
＜歌詞事前報知機能の利用検出（実施例１）＞
歌詞事前報知機能を利用しているか否かの検出は、図２に示すように、携帯情報端末２０が具備する所定の操作子の操作を操作したか否かに基づいて実行することができる。例えば、歌唱者が携帯情報端末２０の表示操作画面（タッチパネル）に表示される所定の操作子（操作アイコン２５）にタッチしている場合は、歌詞事前報知機能を利用していると判断し、所定の操作子（操作アイコン２５）にタッチしていない場合は、歌詞事前報知機能を利用していないと判断すればよい。
【００３９】
＜歌詞事前報知機能の利用検出（実施例２）＞
また、歌詞事前報知機能を利用しているか否かの検出は、図３に示すように、携帯情報端末２０の姿勢に基づいて実行することができる。すなわち、歌唱者が歌詞事前報知機能を利用する場合には、携帯情報端末２０のスピーカを自らの耳に近接させることが一般的である。一方、歌唱者が歌詞事前報知機能を利用していない場合には、携帯情報端末２０をテーブル上に置き、あるいは携帯情報端末２０を持った手を下側に下げた状態になると推測することができる。
【００４０】
したがって、例えば、姿勢検出手段２３が検出した携帯情報端末２０の姿勢が縦方向（略鉛直方向）の場合には、歌詞事前報知機能を利用していると判断し、姿勢検出手段２３が検出した携帯情報端末２０の姿勢が横方向（略水平方向）の場合には、歌詞事前報知機能を利用していないと判断する。
【００４１】
＜検出結果送信手段＞
検出結果送信手段２２は、歌詞事前報知利用状況検出手段２１における検出結果を、カラオケ演奏装置３０に送信するための機器及びプログラムからなる。後に詳述するが、歌詞事前報知機能の利用に関する検出結果を受信したカラオケ演奏装置３０では、当該情報を用いて歌詞文字の表示制御を行う。
【００４２】
＜音声出力制御手段＞
音声出力制御手段２４は、歌詞事前報知機能による音声出力を行わないように制御するためのプログラムからなる。すなわち、音声出力制御手段２４は、歌詞事前報知利用状況検出手段２１の検出結果が、歌詞事前報知機能を利用中でないことを示す場合に、携帯情報端末２０の音声出力機能を用いた歌詞事前報知を行わないように制御する。これにより、歌詞事前報知機能が動作中であっても、実際に歌唱者が歌詞事前報知の音声出力を聴取していない場合には音声出力のみを停止させることができるので、携帯情報端末２０の消費電力をセーブすることができる。
【００４３】
また、歌詞事前報知利用状況検出手段２１の検出結果が、歌詞事前報知機能を利用中であることを示す場合には、音声出力制御手段２４は、歌詞事前報知機能による音声出力を行うように制御し、歌唱者の歌唱を支援する。
【００４４】
＜歌詞音声データの出力＞
歌詞事前報知機能を利用する場合には、カラオケ楽曲の演奏に際して、各歌唱区間の演奏開始前に、携帯情報端末２０のスピーカ３２（図示せず）から、歌詞音声データを出力する。スピーカ３２から出力するための歌詞音声データは、楽曲データベース４５ａに含まれる歌詞描出データから生成することができる。
【００４５】
例えば、カラオケ演奏装置３０において、歌詞描出データに基づき歌詞音声データを合成し、合成した歌詞音声データを携帯情報端末２０に送信して、スピーカ３２から出力することができる。また、カラオケ演奏装置３０から携帯情報端末２０に対して歌詞描出データを送信し、携帯情報端末２０において、歌詞描出データに基づき歌詞音声データを合成してスピーカ３２から出力してもよい。さらに、カラオケ演奏装置３０において、歌詞描出データをオーディオデータに変換し、変換したオーディオデータを携帯情報端末２０に送信して、スピーカ３２から出力してもよい。
【００４６】
＜カラオケ本体＞
カラオケ本体３１は、図１に示すように、ネットワーク送受信手段４１、中央制御手段４２、ＲＯＭ４３、ＲＡＭ４４、ＨＤＤ４５、予約管理手段４６、検出結果受信手段４７、歌詞文字表示手段４８、歌詞文字表示制御手段４９、音楽再生制御手段５０、映像再生制御手段５１を備えている。
【００４７】
＜中央制御手段＞
中央制御手段４２は、カラオケ本体３１を総合的に制御するための手段であり、例えばＣＰＵ及びその周辺機器により構成されており、ＣＰＵ等がＲＯＭ４３等に記憶されたプログラムに従って動作することにより、制御機能を発揮することができるようになっている。
【００４８】
＜ＲＯＭ／ＲＡＭ＞
ＲＯＭ４３は、カラオケ本体３１を構成する各機器を制御するためのプログラムデータや数値データを記憶するための機器で、例えば半導体メモリ等で構成される。また、ＲＡＭ４４は、プログラムや各種データを一時的に記憶する一時記憶領域として機能するもので、例えば半導体メモリ等で構成される。
【００４９】
本実施形態では、ＲＡＭ４４に、予約待ち行列４４ａが記憶されるようになっている。なお、予約待ち行列４４ａは、選曲予約されたカラオケ楽曲について、演奏順に楽曲ＩＤを並べて構成されたデータテーブルであり、選曲予約者の利用者ＩＤ等、他の識別データが紐付けされている場合もある。
【００５０】
＜ＨＤＤ＞
ＨＤＤ４５は、大容量記憶装置として機能するもので、楽曲データベース４５ａ、映像データベース４５ｂが格納されている。なお、ＨＤＤ４５に替えて、あるいはＨＤＤ４５と共に、データを書き替え可能なＤＶＤ等の大容量記憶装置を用いてもよい。
【００５１】
＜楽曲データベース／映像データベース＞
楽曲データベース４５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース４５ｂは、演奏されるカラオケ楽曲に対応した背景映像を、当該カラオケ楽曲の楽曲ＩＤに対応させた映像ファイルとして所定数格納したデータベースである。
【００５２】
＜ネットワーク送受信手段＞
ネットワーク送受信手段４１は、ルータ６０を介して携帯情報端末２０との間でデータの送受信を行うための電子回路及びプログラムからなる。また、図示しないが、カラオケ演奏装置３０がルータ６０を介して管理サーバ等にネットワーク接続（店内ＬＡＮ接続を含む）されている場合には、ネットワーク送受信手段４１の機能により、管理サーバ等の間で行われるデータの送受信も制御する。
【００５３】
さらに、ローカル送受信手段を設けて、カラオケ本体３１とカラオケリモコン装置３６との間で、赤外線通信等によるデータの送受信を行い、カラオケ本体３１とカラオケリモコン装置３６とのペアリング等を行ってもよい。
【００５４】
＜予約管理手段＞
予約管理手段４６は、任意の利用者が選曲予約する際に、当該選曲されたカラオケ楽曲の楽曲ＩＤを含む予約待ち行列４４ａを作成して管理するためのプログラムからなる。すなわち、予約管理手段４６は、利用者により楽曲検索手段３６ａの機能を用いて選曲された楽曲ＩＤを演奏順に並べて予約待ち行列４４ａを作成し、この予約待ち行列４４ａをＲＡＭ４４に格納して管理する。また、予約待ち行列４４ａに選曲者の利用者ＩＤを含める場合には、利用者ＩＤの取得が必要となる。
【００５５】
利用者ＩＤは、利用者ＩＤカードに記憶された利用者ＩＤをカードリーダにより読み取り、あるいは、カラオケリモコン装置３６の入出力表示部３６ｄを用いて入力された利用者ＩＤ及びパスワードに基づいて取得すればよい。さらに、利用者が携帯する携帯情報端末２０を用いて予約を行う機能を有する場合には、当該携帯情報端末２０の機器ＩＤに紐付けされた利用者ＩＤを取得してもよい。また、カラオケ演奏装置３０を使用する際に、利用者に対して一時的に利用者ＩＤを付与してもよい。
【００５６】
＜検出結果受信手段＞
検出結果受信手段４７は、携帯情報端末２０の検出結果送信手段２２により送信される検出結果を受信するためのプログラムからなる。なお、携帯情報端末２０から送信される信号は、ネットワーク送受信手段４１の機能により受信する。受信手段受信した検出結果は、歌詞文字表示制御手段４９における歌詞文字の表示制御に利用される。
【００５７】
＜歌詞文字表示手段＞
歌詞文字表示手段４８は、カラオケ楽曲の演奏進行に合わせて歌詞文字の表示を行うためのプログラムからなる。すなわち、歌詞文字表示手段４８は、演奏データに含まれる歌詞描出データに基づいて、表示装置３４の表示画面に表示するための歌詞文字を生成する。この歌詞文字は、映像再生制御手段５１の機能により背景映像にスーパーインポーズして、当該カラオケ楽曲の演奏データに同期させて表示装置３４に出力される。
【００５８】
＜歌詞文字表示制御手段＞
歌詞文字表示制御手段４９は、検出結果受信手段４７により受信した検出結果が、歌詞事前報知機能を利用中であることを示す場合に、歌詞文字の表示を行わないように歌詞文字表示手段４８を制御するためのプログラムからなる。すなわち、歌詞事前報知機能を利用中である場合に、歌唱者は音声出力により歌詞文字を事前に認識することができるため、表示装置３４の表示画面において、背景映像にスーパーインポーズして歌詞文字を表示する必要はない。また、歌詞文字を表示しないことにより、歌唱者及び一緒にカラオケを楽しんでいる利用者は、背景映像を十分に楽しむことができる。
【００５９】
＜歌詞文字の表示制御＞
そこで、図４に示すように、歌詞文字表示制御手段４９は、歌詞事前報知機能を利用中でない場合に、歌詞文字を表示させる制御を行い、表示装置３４の表示画面において、背景画像に歌詞文字をスーパーインポーズして表示する。一方、歌詞事前報知機能を利用中である場合には、歌詞文字を表示させない制御を行い、表示装置３４の表示画面において、背景画像のみを表示する。
【００６０】
＜音楽再生制御手段＞
音楽再生制御手段５０は、楽曲ＩＤに基づいて演奏データから抽出された演奏制御データに基づいて、音源データをデジタル再生すると共にアナログ変換してミキシングアンプ３５に出力するための電子回路である。上述したように、ミキシングアンプ３５は、マイクロホン３３から入力された歌唱者の歌唱音声信号と、音楽再生制御手段５０から送出される演奏音声信号とをミキシングすると共に、アンプ機能により増幅してスピーカ３２より出力するための装置である。
【００６１】
＜映像再生制御手段＞
映像再生制御手段５１は、カラオケ楽曲の演奏中に、映像データベース４５ｂから抽出した背景映像データと、演奏データに含まれる歌詞描出データに基づいて作成される歌詞文字とを、当該カラオケ楽曲の演奏データに同期させて表示装置３４に出力する。なお、本発明では、歌詞文字の生成については、歌詞文字表示制御手段４９の制御を受けている。
【００６２】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６３】
１０  歌詞表示制御システム
２０  携帯情報端末
２１  歌詞事前報知利用状況検出手段
２２  検出結果送信手段
２３  姿勢検出手段
２４  音声出力制御手段
２５  操作アイコン
３０  カラオケ演奏装置
３１  カラオケ本体
３２  スピーカ
３３  マイクロホン
３４  表示装置
３５  ミキシングアンプ
３６  カラオケリモコン装置
３６ａ  楽曲検索手段
３６ｂ  楽曲索引データベース
３６ｃ  データ記憶部
３６ｄ  入出力表示部
４１  ネットワーク送受信手段
４２  中央制御手段
４３  ＲＯＭ
４４  ＲＡＭ
４４ａ  予約待ち行列
４５  ＨＤＤ
４５ａ  楽曲データベース
４５ｂ  映像データベース
４６  予約管理手段
４７  検出結果受信手段
４８  歌詞文字表示手段
４９  歌詞文字表示制御手段
５０  音楽再生制御手段
５１  映像再生制御手段
６０  ルータ
【図１】
2015011244.tif 000003
【図２】
2015011244.tif 000004
【図３】
2015011244.tif 000005
【図４】
2015011244.tif 000006